Podtech/llm-jp-corpus-v4-ja_patent huggingface dataset:
(57)【要約】【課題】パチスロやゲームセンターの照明を暗くしてもゲーム用メダル自体が見えやすく、メダルの表面に刻まれた模様が見えやすいゲーム用メダルを提供する。【解決手段】パチスロやゲームセンターで使用するゲーム用メダルであって、前記メダルの表面には凹凸部が形成されており、前記凹部に接着剤層と、該接着剤層の上面に蓄光体層とを有することを特徴とするゲーム用メダル。【選択図】図１
2006346434.tif 000002
【特許請求の範囲】
【請求項１】
パチスロやゲームセンターで使用するゲーム用メダルであって、
前記メダルの表面には凹凸部が形成されており、
前記凹部に接着剤層と、該接着剤層の上面に蓄光体層とを有することを特徴とするゲーム用メダル。
【請求項２】
前記接着剤層がクリアラッカーからなり、前記蓄光体層が平均粒子径が５〜３５μｍの硅素アルミン酸ストロンチュームからなることを特徴とする請求項１に記載のゲーム用メダル。
【発明の詳細な説明】
【技術分野】
【０００１】
本発明は、パチスロやゲームセンターで使用するゲーム用メダルに関する。
【背景技術】
【０００２】
パチスロやゲームセンターでは、利用者がゲーム用メダルを購入し、このゲーム用メダルをパチスロやゲーム機に投入してゲームを行っている。
【０００３】
しかし、近年、ホール内をカジノ風の雰囲気にするために、パチスロやゲームセンターの照明を暗くする傾向が強まっており、ゲーム用コインが見えにくいという問題点があった。
【０００４】
そこで、例えば、特開平０６−２６１９７３号公報には、スロットマシンの内部の蛍光灯が点燈されると、この蛍光灯の光が導光板により導かれてメダル受皿を照明することによって利用者がメダルを見えやすくする方法が提案されている。
【０００５】
しかし、特開平０６−２６１９７３号公報に記載された方法は、スロットマシン内部の蛍光灯の光を利用するため、この蛍光灯の光が届く範囲でしかメダルを光らせることができないという問題点があった。
【０００６】
また、特開平０６−２６１９７３号公報に記載された方法では、メダルの表面全体を照らすため、メダルに刻まれた模様が浮き立たず見えにくいという問題があった。
【特許文献１】特開平０６−２６１９７３号公報
【発明の開示】
【発明が解決しようとする課題】
【０００７】
本発明は、前述のような従来技術の問題点を解決し、パチスロやゲームセンターの照明を暗くしてもゲーム用メダル自体が見えやすく、メダルの表面に刻まれた模様が見えやすいゲーム用メダルを提供することを課題とする。
【課題を解決するための手段】
【０００８】
本発明は、前述の課題を解決するために、鋭意検討の結果なされたものであり、その要旨とするところは特許請求の範囲に記載した通りの下記内容である。
【０００９】
（１）パチスロやゲームセンターで使用するゲーム用メダルであって、
前記メダルの表面には凹凸部が形成されており、
前記凹部に接着剤層と、該接着剤層の上面に蓄光体層とを有することを特徴とするゲーム用メダル。
【００１０】
（２）前記接着剤層がクリアラッカーからなり、前記蓄光体層が平均粒子径が５〜３５μｍの硅素アルミン酸ストロンチュームからなることを特徴とする（１）に記載のゲーム用メダル。
【発明の効果】
【００１１】
本発明によれば、パチスロやゲームセンターの照明を暗くしてもゲーム用メダル自体が見えやすく、メダルの表面に刻まれた模様が見えやすいゲーム用メダルを提供することができ、パチスロやゲーム機の利用者が増加することによりパチスロやゲーム機の生産台数が増加するうえ、それに使用するゲーム用メダルの生産量も増加するなど、産業上有用な著しい効果を奏する。
【発明を実施するための最良の形態】
【００１２】
本発明を実施するための最良の形態について、図１および図２を用いて詳細に説明する。
【００１３】
図１は、本発明のゲーム用メダルの実施形態を例示する図であり、上段は平面図、下段は側面図を示す。
【００１４】
図１において、１は凹部、２は凸部を示す。
【００１５】
本発明は、パチスロやゲームセンターで使用するゲーム用メダルであって、前記メダルの表面には凹凸部（凸部１および凹部２）が形成されており、前記凹部２に接着剤層と、該接着剤層の上面に蓄光体層とを有することを特徴とする。
【００１６】
パチスロやゲームセンターで使用するゲーム用メダルの模様を形成する凹凸部のうち、凹部２に接着剤層と、該接着剤層の上面に蓄光体層とを有することによって、照明を暗くしたパチスロやゲームセンターでも蓄光体によりメダル自体が光ることによって利用者がメダルを容易に見つけることができるうえ、メダル表面に刻まれた模様が見えやすいので、利用者が他のホールのメダルを使用する違反行為を防止することができる。
【００１７】
なお、図１に示す凹凸部は模様を例示したものであり、この模様は必要に応じて適宜変更することができる。
【００１８】
図２は、本発明のゲーム用メダルの実施形態における凹部の詳細を例示する図である。
【００１９】
図２において、３は接着剤層、４は蓄光体層を示す。
【００２０】
蓄光体層をメダルの表面に形成する方法としては、蓄光体を接着剤に混ぜてメダル表面に噴射する方法も考えられるが、蓄光体が接着剤に混ざりにくく分離してしまうため、以下の方法で接着剤層３および蓄光体層４を形成することが好ましい。
【００２１】
図２に示すように、メダル表面に、クリアラッカーなどの接着剤を噴射した後、例えば平均粒子径が５〜３５μｍの硅素アルミン酸ストロンチュームからなる蓄光体を噴射することによって、接着剤層３とその上面に蓄光体層４を形成することができる。
【００２２】
硅素アルミン酸ストロンチュームは、化学的に安定で８時間程度光に当てることにより一日中、発光作用を確保することができるうえ、発ガン性などがなく人体に無害であるうえ、非放射性、非可燃性、非爆発性であるので安全である。
【００２３】
硅素アルミン酸ストロンチュームを噴射してメダル表面に吹き付けて密着させるためには、平均粒子径を５〜３５μｍとすることが好ましい。
【００２４】
本発明においては、接着剤層３および蓄光体層４の膜厚は問わないが、蓄光体層を密着させ十分な蓄光作用を持たせるためには、接着剤層３および蓄光体層４のそれぞれの膜厚を数十μｍとすることが好ましい。
【００２５】
このようにして、メダル表面に接着剤を噴射した後、蓄光体を噴射することによって、接着剤層３とその上面に蓄光体層４を形成した多数のメダルを容器に入れ、この容器を振動させることによって、メダル同士を衝突させて、メダル表面の凸部に付着した接着剤層３とその上面に蓄光体層４を除去することができ、凹部のみに接着剤層３とその上面に蓄光体層４を形成することができる。
【００２６】
本発明により、パチスロやゲームセンターの照明を暗くしてもゲーム用メダル自体が見えやすく、メダルの表面に刻まれた模様が見えやすいゲーム用メダルを提供することができる。
【図面の簡単な説明】
【００２７】
【図１】本発明のゲーム用メダルの実施形態を例示する図である。
【図２】本発明のゲーム用メダルの実施形態における凹部の詳細を例示する図である。
【符号の説明】
【００２８】
１ 凹部
２ 凸部
３ 接着剤層
４ 蓄光体層
【図１】
2006346434.tif 000003
【図２】
2006346434.tif 000004
(57)【要約】【目的】  足の筋力低下や歩行障害の改善のための歩行訓練や筋力トレーニングあるいはリハビリテーション療法に際し、客観的且つ正確な効果の判定をおこなう筋力測定装置の提供。【構成】  床面に置かれたフレームに椅子を設け、この椅子に腰を掛けて膝から下を自由に屈伸できるようにした人体の、左右いずれかの足の足首部に保持具を取り付け、この足首保持具とフレームとの間に前後方向に荷重測定装置を連結して、膝から下を前方に伸展もしくは後方に屈曲させたときのそれぞれの筋力を測定できるようにした足の筋力測定装置。【選択図】  図１
2006346402.tif 000002
【特許請求の範囲】
【請求項１】
床面に置かれたフレームに椅子を設け、この椅子に腰を掛けて膝から下を自由に屈伸できるようにした人体の、左右いずれかの足の足首部に保持具を取り付け、この足首保持具とフレームとの間に前後方向に荷重測定装置を連結して、膝から下を前方に伸展もしくは後方に屈曲させたときのそれぞれの筋力を測定することができるように構成された脚筋力測定装置。
【発明の詳細な説明】
【技術分野】
【０００１】  本発明は、足の筋力を測定する装置に関するものである。
【背景技術】
【０００２】  従来は、歩行訓練や筋力トレーニングあるいはリハビリテーション療法などの効果を判定するための、足の筋力を測定できる装置がなかった。
【発明の開示】
【発明が解決しようとする課題】
【０００３】  従来は、足の筋力低下や歩行障害を持つ人の症状の改善のために、歩行訓練や筋力トレーニングあるいはリハビリテーション療法などがおこなわれるが、その効果を判定するに際し、訓練や判定に当たる人間の観察による主観的な判断に任され、有効且つ正確な効果の判定が困難であったために、これを客観的に判定する筋力測定装置が求められていた。
【課題を解決するための手段】
【０００４】  歩行に際して膝の屈伸を司る主要な足の運動筋は、膝を伸ばす働きを持つ大腿四頭筋と、これに対応して膝を曲げる働きを持つ大腿屈筋群から成り、これらが筋力低下を起こすと歩行が困難な状態となる。したがって膝を伸ばす筋力と、膝を曲げる筋力をそれぞれ測定することにより、歩行能力を客観的且つ定量的に判定することができる。【０００５】  このため、床面に置かれたフレームに椅子を設け、この椅子に腰を掛けて膝から下を自由に屈伸できるようにした人体の、左右いずれかの足の足首部に保持具を取り付け、この足首保持具とフレームとの間に前後方向に荷重測定装置を連結して、膝から下を前方に伸展もしくは後方に屈曲させたときのそれぞれの筋力を測定できるようにする。
【発明の効果】
【０００６】  足の筋力低下や歩行障害を持つ人の症状の改善のために、歩行訓練や筋力トレーニングあるいはリハビリテーション療法などがおこなわれる際に、本発明の装置を用いることにより、その効果を客観的且つ定量的に判定することができ、更により効果のある治療方法を見つけ出すことができる効果がある。【０００７】  被験者が歩行訓練や筋力トレーニングあるいはリハビリテーション療法などを受ける時その効果を自分で気軽に確かめることができるため、被験者に訓練や治療を受ける意欲を増進させる効果がある。
【発明を実施するための最良の形態】
【０００８】  人体の、左右いずれかの足の足首部に保持具を取り付け、この足首保持具とフレームとの間に前後方向に荷重測定装置を連結して、膝から下を前方に伸展して大腿四頭筋の筋力を測定する時、水平状態の大腿部と下肢との間の角度は、１００°乃至１１０°になるようにすることが望ましい。【０００９】  また同様に、膝から下を後方に屈曲して大腿屈筋群の筋力を測定する時、水平状態の大腿部と下肢との間の角度は、凡そ９０°になるようにすることが望ましい。【００１０】  膝から下を前方に伸展もしくは後方に屈曲させてそれぞれの筋力を測定する際に、足首保持具とフレームとの間に前後方向に荷重測定装置を連結する時、２個の荷重測定装置を前後に取り付けて順次に計測してもよく、また１個の荷重測定装置を付け替えて別個に計測してもよい。【００１１】  椅子に腰を掛けた人体の上体を安定させるために、両手で握ることのできるハンドルあるいは手すりを人体の前方もしくは両側部のフレームまたは椅子に設ける必要がある。
【実施例】
【００１２】
【図１】
および
【図２】
によって本発明の実施例を説明する。
床面に置かれたフレーム１に椅子２を設け、この椅子２に腰掛けさせて膝から下を自由に屈伸できるようにした人体３の、左右いずれかの足の足首部に足首保持ベルト４を巻きつけ、この足首保持ベルト４とフレーム１との間に前後方向に荷重測定装置５を連結して、膝から下を前方に伸展もしくは後方に屈曲させたときのそれぞれの筋力を測定できるようにする。
【００１３】  椅子２に腰を掛けた人体３の上体を安定させるために、両手で握ることのできるハンドル６を人体の前方のフレーム１に設ける。
【図面の簡単な説明】
【００１４】
【図１】本発明の脚筋力測定装置の使用状態のうち、膝から下を前方に伸展して大腿四頭筋の筋力を測定する場合を示す側面図である。
【図２】本発明の脚筋力測定装置の使用状態のうち、膝から下を後方に屈曲して大腿屈筋群の筋力を測定する場合を示す側面図である。
【符号の説明】
【００１５】（１）フレーム
（２）椅子
（３）人体
（４）足首保持ベルト
（５）荷重測定装置
（６）ハンドル
【図１】
2006346402.tif 000003
【図２】
2006346402.tif 000004
(57)【要約】      （修正有）【課題】本発明は洋式トイレ使用時にアキレス腱や足関節をストレッチすることで、頚部の関節・筋肉を緩め、身体を丸めて折り曲げストレッチすることで脊椎に刺激を与え強張りを取り、腹部を圧迫・圧することで排便時の腹圧を倍加させ便秘などを軽減、さらに足首・アキレス腱の緩みが血流や関節全体の緩解につながる足関節緩め具に関するものである。【解決手段】高さ調節の可能な両足が乗る足のせ台２に洋式トイレの便器下方に収納しても邪魔にならないよう、凹み状のアーチをつけ、滑り止めと足つぼ療法を兼ねて足が乗る足のせ台に無数の突起物７を設け、踵以外の足先を乗せ体重をかけながら体を二つに折り曲げ、大腿部と腹部が着くように脊椎のストレッチとアキレス腱を伸ばす。以上を特徴とする足関節緩め具。【選択図】図１
2006346407.tif 000002
【特許請求の範囲】
【請求項１】
高さ調節の可能な両足が乗る足のせ台に洋式トイレの便器下方に収納しても邪魔にならないよう、凹み状のアーチをつけ、滑り止めと足つぼ療法を兼ねて足が乗る足のせ台に無数の突起物を設け、踵以外の足先を乗せ体重をかけながら体を二つに折り曲げ、大腿部と腹部が着くように脊椎のストレッチとアキレス腱を伸ばす。以上を特徴とする足関節緩め具。
【発明の詳細な説明】
【技術分野】
【０００１】  本発明は洋式トイレ使用時にアキレス腱や足関節をストレッチすることで、頚部の関節・筋肉を緩め、身体を丸めて折り曲げストレッチすることで脊椎に刺激を与え強張りを取り、腹部を圧迫・圧することで排便時の腹圧を倍加させ便秘などを軽減、さらに足首・アキレス腱の緩みが血流や関節全体の緩解につながる足関節緩め具に関するものである。
【背景技術】
【０００２】  従来のアキレス腱を伸ばす器具は、ただ単に伸ばす為だけに努力していたが、、伸ばすためだけの時間を割いてまで、行なう人は殆ど皆無に等しい。
洋式トイレが主流になり足関節やアキレス腱の硬化で体が硬くなり前屈も侭にならない人が増加している。
【発明の開示】
【発明が解決しようとする課題】
【０００３】  そのために次のような問題点があった。
毎日、健康器具などでアキレス腱だけを伸ばす行為は強い意志を必要とて大半の人は継続に飽きがきて無理が生じる。
足関節の硬さが、他の関節や身体全体の硬さ、内臓の硬さ、さらには怪我や事故を招き、自律神経や脳にまで影響を与えるなど、他の疾患まで招いている。
身体を二つに折り曲げ丸まる行為は、日常では殆ど無く、脊椎の靭帯や腱は強張り、血流を妨げ、他の症状まで悪化させている。
和式トイレの時代は、身体を折り曲げて腹圧に大腿部の外圧もプラスして排便をしていたが、洋式では腹圧だけになり排便が楽にはならず、便秘の症状が増えてきた。本発明は、以上の問題点を解決するためになされたものである。
【課題を解決するための手段】
【０００４】  高さ調節の可能な両足が乗る足のせ台に洋式トイレの便器下方に収納しても邪魔にならないよう、凹み状のアーチをつけ、滑り止めと足つぼ療法を兼ねて足が乗る足のせ台に無数の突起物を設け、踵以外の足先を乗せ体重をかけながら体を二つに折り曲げ、大腿部と腹部が着くように脊椎のストレッチとアキレス腱を伸ばす。以上を特徴とする足関節緩め具である。
【発明の効果】
【０００５】  足関節やアキレス腱を緩めることで、同じ足首の首（頚部）の硬さ、各関節の硬さ、内臓の硬さなどが軽減され、自律神経や脳にも安定剤となる。
大腿部と腹部が接する様に体を丸めストレッチを行なえば、脊椎や他の関節も緩み、腹圧だけの排便行為だったのが、身体を折り曲げ丸めることで大腿部の圧迫などが加わり腹圧が倍増し、今まで以上に楽に排便行為が行なえるようになる。
身体の柔軟さはスポーツの怪我や事故の防止にも役立つ。
毎日行くトイレでのストレッチは、知らず知らずのうちに足首は緩みアキレス腱は伸ばされ、全身の血流は整い同様に他の関節も緩み始め、便秘症、冷え性などの軽減や内臓の緩和と身体全体の強張りなどが消失する。
【発明を実施するための最良の形態】
【０００６】  以下、本発明の実施の形態を説明する。
（イ）、平板状の足のせ板（１）の両端に足のせ台（２）を設け、中央に凹部（８）を形成する。
（ロ）、足のせ板（１）と土台板に外筒（３）と中筒（４）を通し合わせて付け、ストッパー（６）で高さ調節を可能にする。
（ハ）、足のせ台（２）の表面に突起物（７）を設ける。
本発明は以上の構成よりなるので、本発明を使用する時は、足のせ台（２）に踵以外の足先に体重を乗せて、足首の力を抜きアキレス腱を伸ばすようにして乗る。
毎日使用することで、足関節が緩み始め、また足裏を突起物（７）で刺激することで血行は良くなり、足は暖まり各関節の硬さは軽減され、大腿部と腹部が接するようにストレッチを行なえば脊椎は緩解し始め、排便時の腹圧は倍増することで、より楽に用を足すことが出来る。
【図面の簡単な説明】
【０００７】
【図１】    本発明の斜視図
【図２】    本発明の上からの平面図
【図３】    本発明の分解斜視図
【図４】    本発明の使用状態を示す側面図
【符号の説明】
【０００８】  １    足のせ板
２    足のせ台
３    外筒
４    中筒
５    土台板
６    ストッパー
７    突起物
８    凹部
【図１】
2006346407.tif 000003
【図２】
2006346407.tif 000004
【図３】
2006346407.tif 000005
【図４】
2006346407.tif 000006
(57)【要約】【課題】封筒や名刺などを廃棄する際、住所や氏名の個人情報の部分などを判読困難にするため、ハサミで切り刻む際、判読不明の細さに切り刻むためには、従来のハサミでは、通常、二回以上の動作が必要であり、一定の極細い細さで切るには、慎重にハサミを入れる必要があった。【解決手段】二枚の小刃を持つ一枚の刃と、その刃とその外側の二枚の刃で構成された構造を持つハサミにより、この課題を解決する。【選択図】図２
2006346408.tif 000002
【特許請求の範囲】
【請求項１】
二枚の小刃を持つ一枚のハサミの刃
【請求項２】
二枚の小刃を持つ一枚の刃とその外側の二枚の刃で構成された構造を持つハサミ
【発明の詳細な説明】
【技術分野】
【０００１】  本発明はハサミに関するものであり、二枚の小刃を持つ一枚の刃とその外側の二枚の刃で構成された構造を持つハサミによって、紙を一定の極細い細さで、効率よく、切ることを目的としたものである。
【技術背景】
【０００２】  不知
【発明の開示】
【本発明が解決しようとする課題】
【０００３】  従来のハサミでは、封筒や名刺などを廃棄する際、住所や氏名の個人情報の部分などを判読困難にするため、ハサミで切り刻む際、判読不明の細さに切り刻むためには、通常、二回以上の動作が必要であり、一定の極細い細さで切るには、慎重にハサミを入れる必要があった。
本発明は、封筒や名刺などを廃棄する際、住所や氏名の個人情報の部分などを判読困難にするため、従来のハサミより、少ない動作で、かつ、一定の極細い細さで切ることができるという、効率化と正確化の課題を解決するものである。
【課題を解決するための手段】
【０００４】  この課題を解決するための請求項１の発明は、二枚の小刃を持つ一枚のハサミの刃であり、この刃をハサミに活用する。
【０００５】  また、請求項２の発明は、請求項１の二枚の小刃を持つ一枚のハサミの刃と、その外側の二枚の刃で構成された構造を持つことを特徴とするハサミである。
ハサミ一回の動作で、紙を一定の極細い細さで切ることができる。封筒や名刺などを廃棄する際、住所や氏名の個人情報の部分にこのハサミをあてると、一回の動作、もしくは数回の動作で、判読が困難なまで、細く正確に効率よく切り刻むことが可能である。
【発明の効果】
【０００６】  封筒や名刺などを廃棄する際、住所や氏名の個人情報の部分にこのハサミをいれると、一回の動作、もしくは数回の動作で、判読が困難なまで、細く正確に効率よく切り刻むことが可能である。
【発明を実施するための最良な形態】
【０００７】  請求項１の構造は図１のとおりである。二枚の小刃を持つ一枚のハサミの刃である。
【０００８】  請求項２の構造は図２のとおりである。請求項１の、二枚の小刃を持つ一枚のハサミの刃とその外側の二枚の刃で構成された構造を持つハサミである。
切り刻みたい紙の部分にハサミを入れる。
【０００９】  図３は、ハサミを入れた名刺の例である。一回の動作で、一定の細さで切り刻むことが可能である。
【産業上の利用可能性】
【００１０】  本発明に係るハサミは、工業的に量産することが可能であるために、産業上の利用可能性を有する。
【図面の簡単な説明】
【００１１】
【図１】請求項１の二枚の小刃を持つ一枚のハサミの刃の図である。
【図２】請求項１の二枚の小刃を持つ一枚のハサミの刃と、その外側の二枚の刃で構成された構造を持つ請求項２のハサミの図である。
【図３】請求項２のハサミを使用し、一回の動作で切った名刺の例である。
【符号の説明】
【００１２】１  請求項１の小刃
２  請求項１の小刃
３  請求項２を構成する請求項１の２枚の小刃を持つ刃
４  請求項２を構成する刃
５  請求項２を構成する刃
【図１】
2006346408.tif 000003
【図２】
2006346408.tif 000004
【図３】
2006346408.tif 000005
(57)【要約】【課題】スリッパを履いて足裏刺激を期待するとき、心地よい刺激を得るために、スリッパの底面に取り外し可能な指圧器具を設けた着脱可能スリッパを提供する。【解決の手段】スリッパの底面一部を二重に設け、二重の部分に取り外し可能な指圧器具を設けた着脱式指圧スリッパを特徴とする。【選択図】    図１
2006346410.tif 000002
【特許請求の範囲】
【請求項１】
スリッパの底面を二重に設け、その部分に取り外し可能な指圧器具を設けた着脱式指圧スリッパ。
【発明の詳細な説明】
【発明の詳細な説明】
【技術分野】
【０００１】この発明は、スリッパの底を二重に設け、その部分に取り外し可能な指圧器具を取り付けた着脱式指圧スリッパに関するものである。
【背景技術】
【０００２】従来、指圧スリッパの指圧部分はスリッパ底に固定されていた。
【発明が解決しようとする課題】
【０００３】  これには次のような欠点があった。
従来の指圧スリッパは指圧部分が固定されているため、凹凸がマイルドで痛くないが気持ちよくも無く、実際の指圧に比べるとかなり物足りない感じがしてしまう。又、固定式のため日々変化するコンディションに合わせることが出来ない。
本発明は、以上のような欠点をなくすためになされたものである。
【課題を解決するための手段】
【０００４】スリッパ底を二重に設けその部分に取り外し可能な指圧器具を設ける。
本発明は、以上の構成よりなる着脱式指圧スリッパである。
【発明を実施するための最良の形態】
【０００５】  以下、本発明の実施の形態について説明する。
スリッパ（１）の底面一部分を二重に設け、二重部分にはゴム（２）を使用し、二重の間に円柱（３）と球体（４）で作った取り外し可能な指圧器具をはめ込む。
本発明は、以上のような構造でこれを使用するときは、指圧器具をスリッパに取り付け、通常のスリッパと同様に使用すればよい。又、取り外した指圧器具は、直接足裏をマッサージするためにも使用すればよい。
【発明の効果】
【０００６】（イ）指圧器具が取り外し可能なので器具の大きさで強弱が付けられる。
（ロ）固定式の画一的でマイルドな指圧の『痛くないけど気持ちよくない』からの脱却。
（ハ）足裏の痛む部分や気持ちよい部分を知ることで、自分の体質が分かり、体調コントロールに役立つ。
（ニ）青だけ踏み効果が期待できる。
（ホ）湧泉を刺激し便通をスムーズにする。
【図面の簡単な説明】
【図１】  本発明の分解斜視図である。
【図２】  本発明の側面図である。
【符号の説明】
１．  スリッパ
２．  ゴム
３．  円柱
４．  球体
【図１】
2006346410.tif 000003
【図２】
2006346410.tif 000004
(57)【要約】【課題】従来、ジッパーを上げ下げするものは無かった。【解決手段】枠やその他にジッパー固定用の突起を設けて構成したものである。これにより、一人では上げ下げが困難であった背面ジッパーを一人で楽に上げ下げする事ができる。【選択図】図１
2006346403.tif 000002
【特許請求の範囲】
【請求項１】
枠と突起とからなり、突起にジッパーを固定することで上げ下げ出来るようにしたジッパー上げ器に関する。
【請求項２】
枠内部に紐の巻き上げ器を設けて紐を内部に収納できるようにし又、目盛りを施す事で巻尺としても使用できるようにしたもの。
【発明の詳細な説明】
【技術分野】
【０００１】  本発明は、ジッパー上げ器に関する。
【背景技術】
【０００２】  従来、このようなものは無かった。
【特許文献１】
【非特許文献１】
【発明の開示】
【発明が解決しようとする課題】
【０００３】  従来はこの様なものは無く背面のジッパーを上げるのが困難であった。【０００４】  本発明は、この様な従来の問題を解決しようとするものであり、１人でも背面ジッパーを上げられるようにした、ジッパー上げ器を得ることにある。
【課題を解決するための手段】
【０００５】  上記課題を解決するため本発明における第１のジッパー上げ器は、ジッパーを固定するための鉤状の部分と持ち手とでできたものである。その他には例えば、ハートや四角  等あらゆる形の枠にジッパーのツマミを固定する突起を施し、この突起にジッパーの穴を通してジッパーを固定し上げ下げするものである。突起の向きは上下左右どちらでも良く特にこだわらない。また紐は、突起が施された部分と対角線上に固定すると使用に際して安定し、更に紐をメジャーにすれば巻き尺としても使用可能である。【０００６】  また、クリップを付ければナフキン留め  等にもなる。【０００７】  上記の第１の課題解決手段による作用は次の通りである。すなわち、手の届きにくい背面ジッパーを１人で上げ下げ出来る。
【発明の効果】
【０００８】  以上に詳述したように本発明のジッパー上げ器は、背面ジッパーの上げ下げ時の疲労を軽減でき且つ、ジッパーの上げ下げという作業を１人で容易にすることができる。【０００９】  また、小さいので場所を選ばず何処にでも持ち運んで使用することができる。
【発明の実施をするための最良の形態】
【００１０】  以下、本発明の実施の形態を図１〜図１１に基づいて説明する。
【００１１】  図において１Ａ、１Ｂ、１Ｃ、１Ｄ、１Ｅ、１Ｆ、１Ｇ、１Ｈはジッパー上げ器本体で、鉤状の固定部分２ａ．ｂ、持ち手３、枠４ａ．ｂ．ｃ．ｄ．ｅ．ｆ、突起５ａ．ｂ．ｃ、枠に施された溝６、紐固定部７ａ、巻き上げ器８ａ．ｂ．ｃ、紐巻き上げ釦９ａ．ｂ．ｃ、紐１０ａ，ｂ．ｃ、メジャー１１、写真入れ１２、ルーペ１３からなる。この第１の実施形態のジッパー上げ器Ａは、鉤状ジッパー固定器２と持ち手３とで出来ている。
【実施例１】
【００１２】  図１のジッパー上げ器１Ａは、本体１の鉤状ジッパー固定部２ａが開閉式になっておりジッパーの穴に差し込むと鉤状ジッパー固定部２ａにジッパーのつまみが固定され、上げ下げが可能になる。その他の部分は、持ち手３となっている。更に、鉤状ジッパー固定部２ａの開閉を強固または固定させるとキーリングとしての機能も兼る。また、その他の実施例として持ち手３内部に巻き上げ器８を設ける。紐巻き上げ釦９は本発明品の表裏のどちらに施しても良い。
【実施例２】
【００１３】  図２のジッパー上げ器１Ｂは枠４ａに突起５ａが施されている。この場合、プルトップオープナーとしての機能も備える。
【実施例３】
【００１４】  図３の第３の実施形態のジッパー上げ器１Ｃは、枠４ｂに設けられた突起５ｂをジッパーの大きさの異なった穴に合わせられるよう変化をつけ、ジッパーのツマミ部分が突起５ｂに固定されやすくしたもので、図２よりジッパーのツマミが本体から外れにくい。
【実施例４】
【００１５】  また、図４は図２のその他の実施形態で、ジッパー上げ器本体１Ｂに付属の紐を収納できるように枠４ｃに溝６を設けたものである。
【実施例５】
【００１６】  図５は図２のその他の実施形態で、枠４ｄ内部に目盛り付紐（巻尺）１１と巻き上げ器８を設けたものである。
【実施例６】
【００１７】  図６は、図５の測断面図である。
【実施例７】
【００１８】  図７は図５のその他の実施形態であり、突起５ｄの形状を変えるだけでブローチ  等にもなる。
【実施例８】
【００１９】  また、図８、図９のその他の実施形態は、本体１Ｇを開閉式にしたものであり本体１Ｇの枠４ｅの片側を写真入れ１２やルーペ１３にしたものである。
【実施例９】
【００２０】  図１０の本発明は、鉤状のジッパー固定部２ｂを紐１０の先端に施したものである。
【図面の簡単な説明】
【００２１】
【図１】本発明の第１の実施形態を示すジッパー上げ器の正面図
【図２】本発明の第２の実施形態を示すジッパー上げ器の正面図
【図３】本発明の第３の実施形態を示すジッパー上げ器の正面図
【図４】本発明の第４の実施形態を示すジッパー上げ器の側断面図
【図５】図２のその他の実施形態を示すジッパー上げ器の正面図
【図６】図５のジッパー上げ器の側断面図
【図７】図５のその他の実施形態を示すジッパー上げ器の側断面図
【図８】本発明のその他の実施形態を示すジッパー上げ器の正面図
【図９】本発明のその他の実施形態を示すジッパー上げ器の正面図
【図１０】本発明のその他の実施形態を示すジッパー上げ器の正面図
【図１１】図１０のジッパー上げ器の側断面図
【図１２】図７のその他の実施形態を示すジッパー上げ器の測面図
【符号の説明】
【００２２】１Ａ、１Ｂ、１Ｃ、１Ｄ、１Ｅ、１Ｆ、１Ｇ、１Ｈ      ジッパー上げ器本体
２ａ．ｂ      鉤状のジッパー固定部          ８ａ，ｂ．ｃ        巻上げ器
３            持ち手                        ９ａ．ｂ．ｃ        紐巻き上げ釦
４ａ，ｂ．ｃ．ｄ．ｅ．ｆ  枠                １０ａ，ｂ，ｃ      紐
５ａ，ｂ，ｃ．ｄ．ｅ．ｆ  突起              １１        メジャー付き紐（巻尺）
６            溝                            １２        写真入
７ａ．ｂ      紐固定部                      １３        ルーペ
【図１】
2006346403.tif 000003
【図２】
2006346403.tif 000004
【図３】
2006346403.tif 000005
【図４】
2006346403.tif 000006
【図５】
2006346403.tif 000007
【図６】
2006346403.tif 000008
【図７】
2006346403.tif 000009
【図８】
2006346403.tif 000010
【図９】
2006346403.tif 000011
【図１０】
2006346403.tif 000012
【図１１】
2006346403.tif 000013
【図１２】
2006346403.tif 000014
(57)【要約】【課題】従来の横置き型のハンダリール台は、糸ハンダの繰り出しが重く、特に細い糸ハンダでは円滑に繰り出せなかった。そこで、本発明は、細い糸ハンダでも円滑に繰り出す事ができるハンダリール台を提供することを課題とする。また、従来のハンダリール台よりより設置スペースの少ないハンダリール台を提供することを課題とする。【解決手段】設置スペースを現状のハンダリール台よりも少なくするためにハンダリールを縦置きとし、細い糸ハンダでも繰り出しやすいようにボールベアリングを底部に使用することで現状の課題を解決する。【選択図】図１
2006346728.tif 000002
【特許請求の範囲】
【請求項１】
ハンダリールを縦に置くことを特徴とするハンダリール台
【発明の詳細な説明】
【技術分野】
【０００１】
本発明は、糸巻きハンダ等の繰り出しに用いるハンダリール台の構造及び形状に関するものである。。
【背景技術】
【０００２】
従来のハンダ繰り出しに用いるハンダスタンドの形状は図３に示すようにハンダリールを横型に置くものが主流である。
【特許文献１】登録実用新案第３０４７９３８号
【発明の開示】
【発明が解決しようとする課題】
【０００３】
従来の横置き型のハンダリール台は、糸ハンダの繰り出しが重く、特に細い糸ハンダでは円滑に繰り出せなかった。そこで、本発明は、細い糸ハンダでも円滑に繰り出す事ができるハンダリール台を提供することを課題とする。また、従来のハンダリール台よりより設置スペースの少ないハンダリール台を提供することを課題とする。
【課題を解決するための手段】
【０００４】
設置スペースを現状のハンダリール台よりも少なくするためにハンダリールを縦置きとし、細い糸ハンダでも繰り出しやすいようにボールベアリングを底部に使用することで現状の課題を解決する。
【発明の効果】
【０００５】
ハンダリールを縦置きとすることにより、従来のハンダリール台に比べて少ないスペースにリール台を設置できる。また、ボールベアリングを底部に使用することにより、ハンダを軽く円滑に繰り出せる。
【実施例】
【０００６】
図１は、本発明のハンダスタンドにハンダリールを載せ、使用中の状態を示す図である。図２はハンダスタンドの全体図である。また、図３はハンダスタンドの本体部、図４はハンダスタンドの断面図である。
【０００７】
本体１の溝部２にリテナー３及びレース４を設置する。レース４にハンダリール５を置き使用する。
【産業上の利用可能性】
【０００８】
本発明を適用したハンダスタンドは、設置場所が少なく済み、また、糸ハンダの繰り出しも従来の製品より作業がしやすいため、省スペースかつ高効率の製品として利用可能である。
【図面の簡単な説明】
【０００９】
【図１】本発明のハンダスタンドの実施方法を示した説明図である。
【図２】本発明のハンダスタンドの全体図である。
【図３】本発明のハンダスタンド本体部の全体図である。
【図４】本発明のハンダスタンドの断面図である。
【符号の説明】
【００１０】
１    本体部
２    溝部
３    リテナー
４    レース
５    ハンダリール
【図１】
2006346728.tif 000003
【図２】
2006346728.tif 000004
【図３】
2006346728.tif 000005
【図４】
2006346728.tif 000006
【手続補正書】
【提出日】平成17年11月8日(2005.11.8)
【手続補正１】
【補正対象書類名】明細書
【補正対象項目名】全文
【補正方法】変更
【補正の内容】
【発明の詳細な説明】
【技術分野】
【０００１】
本発明は、糸巻きハンダ等の繰り出しに用いるハンダリール台の構造及び形状に関するものである。。
【背景技術】
【０００２】
従来のハンダ繰り出しに用いるハンダスタンドの形状はハンダリールを横型に置くものが主流である。
【特許文献１】登録実用新案第３０４７９３８号
【発明の開示】
【発明が解決しようとする課題】
【０００３】
従来の横置き型のハンダリール台は、糸ハンダの繰り出しが重く、特に細い糸ハンダでは円滑に繰り出せなかった。そこで、本発明は、細い糸ハンダでも円滑に繰り出す事ができるハンダリール台を提供することを課題とする。また、従来のハンダリール台よりより設置スペースの少ないハンダリール台を提供することを課題とする。
【課題を解決するための手段】
【０００４】
設置スペースを現状のハンダリール台よりも少なくするためにハンダリールを縦置きとし、細い糸ハンダでも繰り出しやすいようにボールベアリングを底部に使用することで現状の課題を解決する。
【発明の効果】
【０００５】
ハンダリールを縦置きとすることにより、従来のハンダリール台に比べて少ないスペースにリール台を設置できる。また、ボールベアリングを底部に使用することにより、ハンダを軽く円滑に繰り出せる。
【実施例】
【０００６】
図１は、本発明のハンダスタンドにハンダリールを載せ、使用中の状態を示す図である。図２はハンダスタンドの全体図である。また、図３はハンダスタンドの本体部、図４はハンダスタンドの断面図である。
【０００７】
本体１の溝部２にリテナー３及びレース４を設置する。レース４にハンダリール５を置き使用する。
【産業上の利用可能性】
【０００８】
本発明を適用したハンダスタンドは、設置場所が少なく済み、また、糸ハンダの繰り出しも従来の製品より作業がしやすいため、省スペースかつ高効率の製品として利用可能である。
【図面の簡単な説明】
【０００９】
【図１】本発明のハンダスタンドの実施方法を示した説明図である。
【図２】本発明のハンダスタンドの全体図である。
【図３】本発明のハンダスタンド本体部の全体図である。
【図４】本発明のハンダスタンドの断面図である。
【符号の説明】
【００１０】
１    本体部
２    溝部
３    リテナー
４    レース
５    ハンダリール
(57)【要約】【課題】  既存のロボットやモジュールロボットの潜在的な機能的制約を解決する。【解決手段】  構成単位を伸縮型直動アクチュエータとし、伸縮可能な梁型のモジュールを結合することで静的なトラスを動的な骨格としたことを特徴とするモジュールロボットを構成する。【選択図】図１
2006346241.tif 000002
【特許請求の範囲】
【請求項１】
構成単位を伸縮型直動アクチュエータとし、伸縮可能な梁型のモジュールを結合することで静的なトラスを動的な骨格とした可動トラス型モジュールロボットであって、前記トラス内部に人体の一部を挿入し、人体の動作の補助を行うことを特徴とする介護装置。
【請求項２】
請求項１に記載のトラス内部に挿入された人体の一部から得られる信号を検出する手段を備え、該信号から人体の健康状態を診断する手段を備えた介護装置。
【発明の詳細な説明】
【技術分野】
【０００１】
本発明は伸縮型直動アクチュエータによって構成される可動トラス型モジュールロボットに関する。
【背景技術】
【０００２】
産業や生活環境を効率良く機能させるために機械やロボット技術があらゆる分野に応用され、現在も開発が続いている。既存のロボットや機械は目的に合わせた設計に基づき所要の動作を得るが、想定外の仕事に対してはその有用性が無効となる。
【発明の開示】
【発明が解決しようとする課題】
【０００３】
既存のロボットは仕様以上の仕事を実行することは何らかの処置が無い限り不可能であり、機能を簡単に向上できないという問題がある。よって、図２の既存のロボットは多岐にわたる目的を含む仕事に対し有効ではない。
【０００４】
本発明は既存のロボットの機能的な応用範囲を広げることが目的である。未知で変化に富み多様化する局面に対し、それを解決するための有効な手段としてモジュールロボットシステムがある。本発明はモジュールロボットにおけるモジュールの構造に関する提案であり、既存のロボットやモジュールロボットの潜在的な機能的制約を解決することを課題とした。既存のロボットにおける機能的制約とは、アーム型のロボットを例に取った場合、最大の問題点は大きさや形状を容易に変形できないということにある。生産の現場はベルトコンベア−による少品種大量生産から、セル方式による多品種少量生産に移行しつつある。そういった現状において、ラインが更新されるたびに新しいロボットを導入するのでは省エネルギーや省資源の観点からも非効率的である。またモジュールロボットは様々な形状のものが開発されているが、周り対偶（一自由度）の機構をもったモジュールの組み合わせで全体的な動作を実現しているものがよく知られている。しかしその構造上、ある定点を中心とした任意の点を、球面対偶（三自由度）で三次元に駆動することは困難で、可能な動作が限定されてしまうことが問題として挙げられる。
【課題を解決するための手段】
【０００５】
図１のモジュールロボットの構成単位を伸縮型直動アクチュエータとし、伸縮可能な梁型のモジュールを結合することで静的なトラスを動的な骨格とし、上記の課題を解決する。伸縮型直動アクチュエータを利用することで、構造体はトラス構造の利点を有する事となる。トラス構造は内部に大規模な空隙空間を有するので、その空間を巧みに利用することで構造体としての機能が広がる。
【発明の効果】
【０００６】
この技術は図４の建築物の構成部材やモジュールロボットのモジュールなどに応用が考えられる。モジュールロボットの応用範囲は非常に幅広いものであるが、本発明は特に知育玩具やインタラクティブなアートとして用いる方法が考えられる。アクチュエータの組み合わせ方はほぼ無限大に近く、組み合わせや動きの作り方を通して、想像力を育むという提案である。さらに、図３に示すように空隙部分を利用し、トラスを外骨格に模して強化防護服とすれば、様々な局面で利用されることが考えられる。伸縮型直動アクチュエータで構成される強化防護服は身体の運動機能に支障をきたした病人やけが人の運動機能の回復支援や、完全に麻痺した運動機能を機械的に補助することが可能である。伸縮型の直動アクチュエータで構成されるので、身長や体重などの個体差に左右されること無く、規格化された製品で様々な体型に合わせた形状を構成することが可能である。
【発明を実施するための最良の形態】
【０００７】
この発明の請求項1の一実施形態を、図５に示す。
【０００８】
本発明は図５のようなトラス構造体の各要素を任意に伸縮させることで三次元のダイナミックな動作を実現し目的に合わせた操作方法を採用することで上記の課題を解決する。
【産業上の利用可能性】
【０００９】
この技術は図４の建築物の構成部材やモジュールロボットのモジュールなどに応用が考えられる。モジュールロボットの応用範囲は非常に幅広いものであるが、本発明は特に知育玩具やインタラクティブなアートとして用いる方法が考えられる。アクチュエータの組み合わせ方はほぼ無限大に近く、組み合わせや動きの作り方を通して、想像力を育むという提案である。さらに、図３に示すように空隙部分を利用し、トラスを外骨格に模して強化防護服とすれば、様々な局面で利用されることが考えられる。伸縮型直動アクチュエータで構成される強化防護服は身体の運動機能に支障をきたした病人やけが人の運動機能の回復支援や、完全に麻痺した運動機能を機械的に補助することが可能である。伸縮型の直動アクチュエータで構成されるので、身長や体重などの個体差に左右されること無く、規格化された製品で様々な体型に合わせた形状を構成することが可能である。
【図面の簡単な説明】
【００１０】
【図１】請求項１の伸縮型直動アクチュエータによって構成される可動トラス構造の簡略図である。
【図２】従来の技術の問題点とその解決策の簡略図である。
【図３】外骨格としての利用例である。
【図４】建築部材としての利用例である。
【図５】発明の実施の形態である。
【図１】
2006346241.tif 000003
【図２】
2006346241.tif 000004
【図３】
2006346241.tif 000005
【図４】
2006346241.tif 000006
【図５】
2006346241.tif 000007
(57)【要約】【課題】  複数の髪ゴムを一対ごとに見やすく収納でき、なお且つ着脱が容易な髪ゴム吊り下げ具を提供する。【解決手段】  板状の吊り下げ具板状体１に溝部４を設けることにより髪ゴムを一対ごとに吊り下げることができ、挿入部２及び接合部３を介することによって着脱を容易にすると共に吊り下げた髪ゴムを保持することができるようにしたことを特徴とする。【選択図】  図１
2006346384.tif 000002
【特許請求の範囲】
【請求項１】
少なくとも一つの溝を有する板状の髪ゴム吊り下げ具であって、溝には髪ゴムを挿入するための挿入部を設け、さらにその挿入部には髪ゴムが離脱しないよう保持するための接合部が設けられており、その溝、溝の挿入部及び接合部を少なくとも一方側に設けたことを特徴とする髪ゴム吊り下げ具。
【請求項２】
前記板状体に、少なくとも一つの吊り下げ用の穴を設けたことを特徴とする請求項１に記載の髪ゴム吊り下げ具。
【請求項３】
前記溝には同じ形状を有する少なくとも一対の髪ゴムが挿入されること特徴とする請求項１に記載の髪ゴム吊り下げ具。
【発明の詳細な説明】
【技術分野】
【０００１】  本発明は、髪の毛を結ぶための髪ゴム吊り下げ具に関するものである。特に複数組の髪ゴムを一組ずつ収納できるようにした髪ゴム吊り下げ具に関するものである。
【背景技術】
【０００２】  従来、髪ゴムは小物入れや机の引き出しなどにそのまま収納しており特に吊り下げ具はなかった。
【発明の開示】
【発明が解決しようとする課題】
【０００３】  一般に、髪の毛を結ぶための髪ゴムは一対のものが多く、尚且つ複数所有しているのでそれを小物入れや引き出しに収納すると一対のものがばらばらになり、片方が見つからなくて一対としての選択が困難であったり、さらには髪ゴム同士が絡まり直ちに使用できない状態であったりした。そのため一対ごとに分けて収納しようとすると、仕切りや小分け用のケースを利用しなければならず、たくさんの収納スペースを必要とした。【０００４】  そこで、本発明は、上記問題点に鑑みてなされたものであり、その目的とするところは一対ごとに収納できるようにした髪ゴム吊り下げ具を提供することにある。
【課題を解決するための手段】
【０００５】  上記目的を達成するために本発明では、少なくとも一つの溝を有する板状の髪ゴム吊り下げ具であって、溝には髪ゴムを挿入するための挿入部を設け、さらにその挿入部には髪ゴムが離脱しないよう保持するための接合部が設けられており、その溝、溝の挿入部及び接合部を少なくとも一方側に設けたことを特徴とするものである。【０００６】  前記板状体に、少なくとも一つの吊り下げ用の穴を設けることが好ましい。【０００７】  前記溝には同じ形状を有する少なくとも一対の髪ゴムが挿入されることが好ましい。
【発明の効果】
【０００８】  以上説明したように本発明によれば、板状の髪ゴム吊り下げ具に溝を作ることにより髪ゴムを一対ごとに吊り下げることができ、また、挿入部を設けることにより着脱を容易にし、尚且つ接合部を設けることにより差し込んだ髪ゴムが外れない状態に保持できることを可能とした。【０００９】  また、溝部は吊り下げた髪ゴムがずれない程度の幅にするのが好ましく、髪ゴムが固定された状態で吊り下げられるので、他の髪ゴムと絡み合うのを防ぐことができる。【００１０】  髪ゴム吊り下げ具を板状にすることで小物入れや引き出しに収納でき場所を選ばない。また、板状体に穴を設けることで髪ゴム吊り下げ具を壁に掛けることもできる。
【発明を実施するための最良の形態】
【００１１】  以下、本発明の実施の形態を図面に基づき詳細に説明する。【００１２】  図１〜３は本発明の第一の実施の形態に係り、図１はその正面図、図２はその斜視図、図３はその断面図である。【００１３】  図１に示すように、本発明は板状体１に接合部３を有する挿入部２を設け、挿入した髪ゴムを保持するための溝部４を形成したものである。
板状体１は板状に成形できれば素材は問わないが、例えばポリプロピレン等の軟質の合成樹脂を成形したものが好ましい。
また挿入部２を設けることにより、容易に着脱可能にした。挿入部２は本実施例のごとく丸みを帯びた形状が好ましくこれによって、より着脱が容易にできる。
接合部３においては、少なくとも挿入した髪ゴムが離脱しないよう保持できる程度に挿入部２を接合しておく必要がある。
挿入部２に接合部３を設けるにより、髪ゴムを差し込むだけで、止め具等を別途設ける必要はなく、吊り下げた状態を保持することができる。【００１４】  図２に示すように、溝部４は掛けた髪ゴムが動かない程度の幅であることが好ましく、髪ゴムが固定された状態で吊り下げられ、そのため他の髪ゴムと絡み合うのを防ぐことができる。【００１５】  ここに、本発明の作用を図２を用いて説明する。一対の髪ゴムを挿入部２及び接合部３を介して溝部４に挿入する。これにより、一対の髪ゴムは他の一対の髪ゴムとは区別されて溝部４に挿入可能になる。【００１６】  上記の如く構成された髪ゴム吊り下げ具は、板状であることで、例えば、何枚もの髪ゴム吊り下げ具を、髪ゴムを吊り下げた状態で、小物入れや引き出しに立てて収納することも寝かせて収納することもでき収納場所にとらわれないでよい。【００１７】  図４は本発明の第二の実施の形態を示す斜視図であり、板状体１には穴部６を設けることが好ましい。この穴部６は家庭の壁に掛けてもよいし、店の壁に掛けるようにしてもよい。また、一例として、板状体の形状をハート型にしたり、板状体をカラフルな色彩にしたり、または絵を施したりと、美観を有する仕様にできるので、家庭の収納用のみならず、携帯用としても使用でき、髪ゴムの販売用に店のディスプレイ用としても利用できるといえる。【００１８】  また、溝は図１では片側にのみ設けられているが、他の側にも溝を設けてもよい。このようにすることにより、髪ゴムが板状体に、より強固に固定されるようになる。【００１９】  図５は本発明の第三の実施の形態を示す正面図であり、
溝部７の形状は入り口からの幅を変えることにより、太さの違う髪ゴムを吊るすことができることとなる。
【図面の簡単な説明】
【００２０】
【図１】    本発明の第一の実施の形態を示す正面図である。
【図２】    本発明の第一の実施の形態を示す斜視図である。
【図３】    本発明の第一の実施の形態を示す断面図である。
【図４】    本発明の第二の実施の形態を示す斜視図である。
【図５】    本発明の第三の実施の形態を示す正面図である。
【符号の説明】
【００２１】    １  板状体
２  挿入部
３  接合部
４  溝部
５  髪ゴム
６  穴部
７  溝部
【図１】
2006346384.tif 000003
【図２】
2006346384.tif 000004
【図３】
2006346384.tif 000005
【図４】
2006346384.tif 000006
【図５】
2006346384.tif 000007
(57)【要約】【課題】ドライヤー使用時、片手をふさがれ髪の毛の乾燥に時間がかかっていた【解決手段】両手の自由を許容し髪の毛等の乾燥やセットを確実にし、動き回るヘットを両手ですばやく確実に乾燥させることができる。又、身体障害者の方にスムーズなドライヤーの使用ができる。【選択図】図１
2006346388.tif 000002
【特許請求の範囲】
【請求項１】
ドライヤーを使用時、両手の自由を許容しスヒーディに髪の毛の乾燥とセットを容認するドライヤーホルダー
【請求項２】
上下の移動が簡単にでき高さ調整が出来ることを特徴とする請求項１記載のドライヤーホルダー。
【請求項３】
設置が簡単で移動可能なため、色々な場所で使う事が出来ることを特徴とする請求項２記載のドライヤーホルダー。
【発明の詳細な説明】
【技術分野】
【０００１】本発明は手を使わずドライヤーを使用できるホルダーに関する
【背景技術】
【０００２】本来ドライヤーホルダーとは、ドライヤー不使用時にドライヤーを固定しておくものである。
【発明の開示】
【発明が解決しようとする課題】
【０００３】ドライヤー使用時両手の自由を許容し、髪の毛の乾燥やセット、ペットの毛の乾燥やセットなどスピーディに行うことができ、また身体障害者など手の不自由な方にスムーズなドライヤーの使用が可能になるドライヤーホルダーを提供することを課題とする。
【課題を解決するための手段】
【０００４】以上の課題を解決するために、第一発明はホルダー本体自体をコンパクトでシンプルに形成し取付場所を限定しない事を特徴とするドライヤーホルダーである。第二発明はドライヤーホルダー本体に貫通取付穴を設けることで、さまざまな形態での使用ができる事を特徴とするドライヤーホルダーである。第三発明は上下や高さの調整がが可能である事を特徴とするドライヤーホルダーである。第四発明は設置や取り外し又移動が容易であり、さまざまな場所で使用が可能な事を特徴とするドライヤーホルダーである。
【発明の効果】
【０００５】第一発明はコンハクトでシンプルな構造で設置や取り外し又移動が容易であり、さまざまな場所で使用が可能である。第二発明は上下の高さ調整が可能である。第三発明はドライヤーコードを通す切込み口がホルダーにある
【発明を実施するための最良の形態】
【０００６】この発明の一実施形態を、図１・図２に示す。以下、本発明の実施の形態を図面に基づき詳細に説明する【０００７】図１〜２は、本発明の実施の形態に係り、図１はその外観斜視図、図２は上下高さ調整の止め具の形状図である。
【図面の簡単な説明】
【図１】ドライヤーホルダー本体１は、略Ｃの字型であり横面部分ドライヤーコードを出し入れする切込み口２を、もうけホルダー後部にホルダーアーム９を用い円柱状の棒３に  締付具４を、回すことにより円柱状の突っ張り棒５を、円柱状の棒３から出るＤ方向入るＣ方向に移動調整させ設置場所の上面、下面にはさみこみ固定させる。滑り止め防止ゴムの６，７を用い滑りを防止する。
【図２】リング状止め具８を、図１の円柱状の棒３に取付、カム状の締付レバー１１を開閉させる事によりリング状と止め具８がゆるみ、図１のホルダー本体１が上方向Ａ、下方向Ｂに移動し調整させることができる。
【符号の説明】
【０００８】  １  ドライヤーホルダー本体      ２  ドライヤーコードを出し入れする切込み口  ３  円柱状の棒                  ４  締付具  ５  円柱状の内棒突っ張り棒      ６，７  滑り止め防止ゴム  ８  リング状止め具              ９  ホルダー本体アーム１０  ボルト固定ヒン            １１  カム状締付レバー１２  締付ボルト                  Ａ  上方向  Ｂ  下方向                      Ｃ  入る  Ｄ  出る
【図１】
2006346388.tif 000003
【図２】
2006346388.tif 000004